(57)【要約】【課題】袋内部で、収納物を整理・整頓でき、しかも、容易に製造可能な簡易収納袋を提供する。【解決手段】一枚の樹脂製のシート体Ｓａを折返して形成され、前シート部11と後シート部12を有すると共に、左右側縁部を溶着した上方開口状の袋本体１を備え、袋本体１の袋内部10を前後に区画状として樹脂製の区画シート片Ｓｂを配設すると共に、区画シート片Ｓｂは、袋内部10の上下中間位置にて、下区画シート部２と上区画シート部３とに分断され、下区画シート部２の下端縁部２ｂが袋本体１の下端の折返し部１ｂ近傍に溶着され、かつ、上区画シート部３の下端縁部３ｂが後シート部12に溶着されている。【選択図】図２
2020029300.tif 000002
【特許請求の範囲】
【請求項１】
一枚の樹脂製のシート体（Ｓａ）を折返して形成され、前シート部（11）と後シート部（12）を有すると共に、左右側縁部（１ｅ）（１ｅ）を溶着した上方開口状の袋本体（１）を備え、
上記袋本体（１）の袋内部（10）を前後に区画状として樹脂製の区画シート片（Ｓｂ）を配設すると共に、上記区画シート片（Ｓｂ）は、上記袋内部（10）の上下中間位置にて、下区画シート部（２）と上区画シート部（３）とに分断され、下区画シート部（２）の下端縁部（２ｂ）が上記袋本体（１）の下端の折返し部（１ｂ）近傍に溶着され、かつ、上記上区画シート部（３）の下端縁部（３ｂ）が上記後シート部（12）に溶着されていることを特徴とする簡易収納袋。
【請求項２】
上記袋本体（１）と上記下区画シート部（２）によって、上記袋内部（10）に、第１ポケット部（51）と第２ポケット部（52）を区画形成し、かつ、上記上区画シート部（３）と上記後シート部（12）によって、上記袋内部（10）に、第３ポケット部（53）を形成した請求項１記載の簡易収納袋。
【請求項３】
上記袋本体（１）の上方開口部（１ａ）には、スライダー（６）にて開閉自在なファスナ部（Ｆ）を設けている請求項１又は２記載の簡易収納袋。
【発明の詳細な説明】
【技術分野】
【０００１】
本発明は、簡易収納袋に関する。
【背景技術】
【０００２】
従来、樹脂製シート体を折り曲げて左右側縁部を溶着して上方開口状とした簡易的な収納袋が公知である（例えば、特許文献１の図１参照）。
【先行技術文献】
【特許文献】
【０００３】
【特許文献１】特開２０１５−２０５７００号公報
【発明の概要】
【発明が解決しようとする課題】
【０００４】
しかし、従来の簡易収納袋は、袋内部で、筆記用具や書類等の収納物が散乱し、商談や会議中に必要な筆記用具や書類をスムーズにとり出すことができず、商談や会議等の流れが中断する場合があった。つまり、袋内部で、筆記用具や書類等の収納物を整理・整頓できないという問題があった。
【０００５】
そこで、本発明は、袋内部で、収納物を整理・整頓でき、しかも、容易に製造可能な簡易収納袋を目的とする。
【課題を解決するための手段】
【０００６】
本発明の簡易収納袋は、一枚の樹脂製のシート体を折返して形成され、前シート部と後シート部を有すると共に、左右側縁部を溶着した上方開口状の袋本体を備え、上記袋本体の袋内部を前後に区画状として樹脂製の区画シート片を配設すると共に、上記区画シート片は、上記袋内部の上下中間位置にて、下区画シート部と上区画シート部とに分断され、下区画シート部の下端縁部が上記袋本体の下端の折返し部近傍に溶着され、かつ、上記上区画シート部の下端縁部が上記後シート部に溶着されているものである。
また、上記袋本体と上記下区画シート部によって、上記袋内部に、第１ポケット部と第２ポケット部を区画形成し、かつ、上記上区画シート部と上記後シート部によって、上記袋内部に、第３ポケット部を形成したものである。
また、上記袋本体の上方開口部には、スライダーにて開閉自在なファスナ部を設けているものである。
【発明の効果】
【０００７】
本発明の簡易収納袋は、袋内部で収納物を整理・整頓でき、所望の収納物を容易かつスムーズに取り出すことができる。例えば、商談や会議中に、会話の流れを中断することなくスムーズに筆記用具や書類を取り出すことができて、使い勝手が良い。さらに、製造が容易で、大量生産に好適であり、安価に製造できる。従って、名刺や試供品、販売促進グッズ（ノベルティグッズ）等を分類して収納し、そのまま（簡易収納袋ごと）、顧客や商談相手等へ配布（プレゼント）することができ、使い勝手が良い。
【図面の簡単な説明】
【０００８】
【図１】本発明の実施の一形態を示す正面図である。
【図２】図１のＡ−Ａ端面図である。
【図３】使用状態の一例を示す端面図である。
【図４】製造方法を説明するための断面図であって、（Ａ）は積層工程の断面図であり、（Ｂ）は溶着工程の断面図であり、（Ｃ）は溶着切断工程の断面図であり、（Ｄ）はファスナ用部材溶着工程の断面図であり、（Ｅ）は折返し工程の断面図である。
【図５】他の実施形態を示す端面図である。
【発明を実施するための形態】
【０００９】
以下、図示の実施形態に基づき本発明の簡易収納袋を詳説する。
本発明に係る簡易収納袋は、図１と図２に示すように、１枚の樹脂製のシート体Ｓａを折返して形成された上方開口状の袋本体１と、袋本体１の上方開口部１ａに設けられた開閉自在なファスナ部Ｆを開閉するためのスライダー６と、を備えている。
【００１０】
袋本体１は、上端縁部に左右方向に沿って形成された上方開口部１ａと、下端に形成された折返し部１ｂと、溶着にて密閉（密封）された左右側縁部１ｅ，１ｅと、折返し部１ｂを介して前後方向に対面状に配設される前シート部11及び後シート部12と、を有している。
【００１１】
ファスナ部Ｆは、後シート部12の上端縁の袋内面に、左右方向に沿って設けた線状のファスナ雌雄一方部Ｆａと、前シート部11の上端縁の袋内面に、左右方向に沿って設けた線状のファスナ雌雄他方部Ｆｂと、で構成される。
【００１２】
そして、袋本体１の袋内部10には、袋内部10を前後に区画状として樹脂製の区画シート片Ｓｂを配設すると共に、区画シート片Ｓｂは、袋内部10の上下中間位置にて下区画シート部２と上区画シート部３とに分断され、下区画シート部２の下端縁部２ｂが、折返し部１ｂ近傍で、後シート部12に溶着され、かつ、上区画シート部３の下端縁部３ｂが後シート部12に溶着されている。
つまり、袋本体１と、下区画シート部２と、上区画シート部３と、スライダー６と、を備えている。
【００１３】
下区画シート部２と上区画シート部３とは、１枚の区画シート片Ｓｂを切断したように形成したものであり、同材質であって、下区画シート部２の上端（縁）２ｃと、上区画シート部３の下端（縁）３ｄは、前後方向に重ならない（ラップ状に配設されない）。
【００１４】
下区画シート部２は、左右側縁部夫々が、袋本体１の左右側縁部１ｅ，１ｅ夫々において、前シート部11の側縁部と後シート部12の側縁部の間に配設されて溶着されている。そして、袋本体１の左右側縁部１ｅ，１ｅの間に配設される下区画シート部２の下端縁部２ｂを、後シート部12のみに溶着している（下区画シート部２の下端縁部２ｂは、前シート部11に溶着していない）。
【００１５】
袋本体１と下区画シート部２とによって、袋内部10に、第１ポケット部51と第２ポケット部52とを区画形成している。言い換えると、前シート部11と下区画シート部２によって上方開口状の第１ポケット部51を形成し、かつ、後シート部12と下区画シート部２とによって上方開口状の第２ポケット部52を形成している。
【００１６】
上区画シート部３は、左右側縁部夫々が、袋本体１の左右側縁部１ｅ，１ｅ夫々において、前シート部11と後シート部12の間に配設されて溶着されている。そして、袋本体１の左右側縁部１ｅ，１ｅの間に配設される上区画シート部３の下端縁部３ｂを、後シート部12のみに溶着している（上区画シート部３の下端縁部３ｂは、前シート部11に溶着していない）。
後シート部12と上区画シート部３とによって、袋内部10に、上方開口状の第３ポケット部53を形成している。
【００１７】
また、下区画シート部２の上下寸法は、上区画シート部３の上下寸法よりも大きく設定している。つまり、第２ポケット部52には、第３ポケット部53よりも上下寸法の大きい収納物を収容可能である。
【００１８】
図２に示すように、袋内部10において、前シート部11の内面側には、第１ポケット部51が形成されると共に、第１ポケット部51の上方位置に収容可能空間部が形成される。
そして、袋内部10において、後シート部12の内面側には、第２ポケット部52が形成されると共に、第２ポケット部52の上方位置に第２ポケット部52よりも小さな第３ポケット部53が形成される。
【００１９】
ここで、ファスナ雌雄一方部Ｆａとファスナ雌雄他方部Ｆｂが嵌合した状態で（嵌合状態のファスナ部Ｆの）、下端縁となる部位を、ファスナ下端縁Ｆｄと呼ぶ。
そして、図２に示す収納物非収容状態において、ファスナ下端縁Ｆｄと、袋内部10の内底端縁10ｄと、の間の上下寸法を、袋内有効収容上下寸法Ｈと、呼ぶ。
【００２０】
下区画シート部２の下端（縁）２ｄは、袋内部10の内底端縁10ｄ近傍に配設しており、下区画シート部２の上端（縁）２ｃの上下位置寸法ｈは、袋内部10の内底端縁10ｄから、袋内有効収容上下寸法Ｈの５５％以上７５％以下に設定するのが好ましい。
言い換えると、上区画シート部３の上端（縁）３ｃは、ファスナ下端縁Ｆｄの近傍に配設しており、上区画シート部３の下端（縁）３ｄの上下位置寸法ｈは、袋内部10の内底端縁10ｄから、袋内有効収容上下寸法Ｈの５５％以上７５％以下に設定するのが望ましい。
下限値が５０％に近づくと、第２ポケット部52と第３ポケット部53との容積が同じになって、様々な大きさに応じた収容ができず、使い勝手が悪くなる虞れがある。また、下限値が５０％未満であると、小さな収納物を袋内部10の底（奥）側へ収容することになり、第２ポケット部52から収納物をスムーズに取り出しにくくなる虞れがある。また、上限値が７５％を越えると、第３ポケット部53の容積が小さくなり過ぎて使い勝手が悪くなる虞れがある。
【００２１】
そして、図３に示すように、第１ポケット部51（前シート部11の袋内面側）には、パンフレットやチラシやカタログ等の（折り目を付けたくないような）上下寸法の大きな（二点鎖線で図示する）収納物を収容できる。第２ポケット部52には、伝票やメモ帳等の上下寸法が中程度の（二点鎖線で図示の）収納物が収容できる。第３ポケット部53には、名刺や筆記用具等の上下寸法の小さな（二点鎖線で図示の）収納物が収容できる。
なお、上記収納物の整理（分類）内容は、一例であって、例えば、第１ポケット部51に記入前の納品書や注文書等の伝票を収容し、第２ポケット部52に記入後の伝票を収容する等自由である。
また、上記収納物は一例であって、例えば、試作品や試供品、販売促進グッズ（ノベルティグッズ）等を収容するも良い。
このような簡易収納袋は、資料や書類等の収納物を、整理・整頓（分類）でき、営業活動に最適であって、例えば、商談中に、営業担当者（使用者）が慌てることなく、速やかに資料を提出（提示）できるので、接客（商談）の流れを中断することがなく非常に便利である。
また、安価に製造できるため、名刺や、試供品や、チラシ、パンフレット等を分類して収納し、顧客にそのまま（簡易収納袋ごと）配布できる。
【００２２】
ここで、本発明の簡易収納袋を製造する方法について説明する。
図４（Ａ）に示すように、樹脂製の第１シート材Ｓ１を配設し、さらに、第１シート材Ｓ１の幅方向一方半部の一面に、第１シート材Ｓ１の幅寸法Ｗ１の４０％以上５０％未満の幅寸法Ｗ２をもった樹脂製の第２シート材Ｓ２を、積層状に配設する（積層工程）。第１・第２シート材Ｓ１，Ｓ２は厚さ寸法が全面に渡って均一に形成されている。また、第１シート材Ｓ１は、シート体Ｓａを形成するためのものであって、ロール状態から引出された帯状である。また、第２シート材Ｓ２は、区画シート片Ｓｂ（下区画シート部２と上区画シート部３）を形成するためのものであって、ロール状態から引出された帯状である。
【００２３】
図４（Ｂ）に示すように、第１シート材Ｓ１の幅方向中心位置の近傍で、第２シート材Ｓ２の一端部を溶着する（第３ポケット用の溶着部Ｙ３を形成する）溶着工程を行う。
【００２４】
図４（Ｃ）に示すように、第２シート材Ｓ２を所定の幅方向位置で切断すると共に切断位置よりも幅方向外方側の位置を溶着する（第２ポケット用の溶着部Ｙ２を形成する）溶着切断工程を行う。
なお、図４（Ｃ）において、切断と溶着を行うタイミングは自由であって、切断後に溶着、溶着後に切断、切断しつつ溶着（言い換えると溶断）、何れであっても良い。
【００２５】
図４（Ｄ）に示すように、第１シート材Ｓ１の幅方向一端縁部に、ファスナ雌雄一方部Ｆａを有する線状の樹脂製ファスナ用雌雄一方部材を溶着すると共に、第１シート材Ｓ１の幅方向他端縁部に、ファスナ雌雄他方部Ｆｂを有する線状の樹脂製ファスナ用雌雄他方部材を溶着する（ファスナ用部材溶着工程）。
【００２６】
図４（Ｄ）に示すように、第１シート材Ｓ１の幅方向他方半部を、幅方向一方半部に対面状となるように、（第１シート材Ｓ１の幅方向中心位置で）折り曲げて、折返し部１ｂを形成する（折返し工程）。
【００２７】
そして、図示省略するが、袋本体１の左右側縁部１ｅ，１ｅとなる側縁予定部位近傍を切断すると共に溶着して左右側縁部１ｅ，１ｅを形成する。なお、「切断すると共に溶着」とは、切断後に溶着、溶着後に切断、切断しつつ溶着（言い換えると溶断）、何れであっても良い。
その後、スライダー６を、袋本体１の上方開口部１ａ（ファスナ部Ｆ）に付設して、製造を終了する。
【００２８】
なお、スライダー６は、ファスナ部Ｆを開く（分離する）ための樹脂製の第１部材と、ファスナ部Ｆを閉じる（嵌合させる）ための樹脂製の第２部材と、を組み合わせた（組み付けた）構造であり、左右側縁部１ｅ，１ｅを形成後に（ファスナ部Ｆの長手方向両端部が溶着されて閉じられているファスナ部Ｆに）後付け可能に構成されている。
【００２９】
このような方法は、第１シート材Ｓ１と第２シート材Ｓ２を、ロール状態から帯状に引出しつつ、連続的に、溶着や切断、折返し等を行うことができ、大量生産に好適である。従って、１袋当りの単価を非常に安価に製造でき、顧客等へ無料配布する簡易収納袋として最適である。
【００３０】
なお、第１シート材Ｓ１は、帯状に限らず、所定第１寸法の矩形状としたシート体Ｓａそのものとして、溶着や折返し、切断等を行っても良い。
また、第２シート材Ｓ２は、帯状に限らず、所定第２寸法の矩形状として区画シート片Ｓｂそのものとして、溶着や切断等を行っても良い。
【００３１】
次に、簡易収納袋の他の実施形態について説明する。
図５に示すように、下区画シート部２の下端縁部２ｂが、折返し部１ｂの近傍で、後シート部12と前シート部11とに溶着されている。
つまり、後シート部12と下区画シート部２が溶着した第２ポケット用溶着部Ｙ２と、前シート部11と下区画シート部２が溶着した第１ポケット用溶着部Ｙ１と、を有し、袋本体１の折返し部１ｂを上記両者の溶着部Ｙ１，Ｙ２にて補強している。
製造方法と合わせて説明すると、第２ポケット用の溶着部Ｙ２を形成し、その後、折返し部１ｂを形成した後に、袋本体１の折返し部１ｂを、溶着（熱圧着）したものである。
【００３２】
また、図１乃至図５の実施形態において、図示省略するが、下区画シート部２の左右方向中間部を、上下方向に沿って後シート部12に溶着した下側仕切溶着線部を設け、第２ポケット部52を２つに区画するも良い。また、下側仕切溶着線部を複数本並設して、第２ポケット部52を３つ以上に区画するも良い。
製造方法としては、積層工程の後から折返し工程の前までの間に、所望のタイミングで、第２シート材Ｓ２又は下区画シート部２の左右中間部を、第１シート材Ｓ１の幅方向一方半部に溶着する下側仕切溶着工程を行えば良い。
【００３３】
また、図１乃至図５の実施形態において、図示省略するが、上区画シート部３の左右方向中間部を、上下方向に沿って後シート部12に溶着した上側仕切溶着線部を設け、第３ポケット部53を２つに区画するも良い。また、上側仕切溶着線部を複数本並設して、第３ポケット部53を３つ以上に区画するも良い。
製造方法としては、積層工程の後から折返し工程の前までの間に、所望のタイミングで、第２シート材Ｓ２又は上区画シート部３の左右中間部を、第１シート材Ｓ１の幅方向一方半部に溶着する上側仕切溶着工程を行えば良い。
【００３４】
なお、本発明は、設計変更可能であって、シート体Ｓａと区画シート片Ｓｂは、ポリエチレンやポリプロピレン等のポリオレフィン系樹脂が好ましいが、ＰＥＴ樹脂やナイロン等を用いるも良い。溶着とは、接着剤を用いずに、加熱によって樹脂を相互に接合できれば良く、熱圧着や熱溶着と言い換えることもできる。
また、本発明を容易に説明するために、袋本体１が上方開口状となるように前・後シート部11，12を鉛直面状に保持した姿勢を基準姿勢とし、その基準姿勢において、鉛直方向を上下方向と呼び、ファスナ部Ｆが嵌合・分離する方向（袋開閉方向）を前後方向と呼び、ファスナ長手方向を左右方向と呼んで方向を説明している。したがって、方向を基に、使用状態の姿勢を限定するものではない。
【００３５】
以上のように、本発明の簡易収納袋は、一枚の樹脂製のシート体Ｓａを折返して形成され、前シート部11と後シート部12を有すると共に、左右側縁部１ｅ，１ｅを溶着した上方開口状の袋本体１を備え、袋本体１の袋内部10を前後に区画状として樹脂製の区画シート片Ｓｂを配設すると共に、区画シート片Ｓｂは、袋内部10の上下中間位置にて、下区画シート部２と上区画シート部３とに分断され、下区画シート部２の下端縁部２ｂが上記袋本体１の下端の折返し部１ｂ近傍に溶着され、かつ、上記上区画シート部３の下端縁部３ｂが上記後シート部12に溶着されているので、袋内部10で収納物を整理・整頓（分類毎に収納）でき、所望の収納物を容易かつスムーズに取り出すことができる。例えば、商談や会議中に、会話の流れを中断することなくスムーズに筆記用具や書類を取り出すことができて、使い勝手が良い。さらに、製造が容易で、大量生産に好適であり、安価に製造できる。従って、名刺や試供品、販売促進グッズ（ノベルティグッズ）等を収納し、そのまま（簡易収納袋ごと）、顧客や商談相手等へ配布でき、使い勝手が良い。
【００３６】
また、上記袋本体１と上記下区画シート部２によって、上記袋内部10に、第１ポケット部51と第２ポケット部52を区画形成し、かつ、上記上区画シート部３と上記後シート部12によって、上記袋内部10に、第３ポケット部53を形成したので、様々な大きさの収納物を、大きさ毎や使用目的毎に容易に分類して収納できる。袋内部10が整理・整頓され、収納物をスムーズに（素早く）取り出すことができる。
【００３７】
また、上記袋本体１の上方開口部１ａには、スライダー６にて開閉自在なファスナ部Ｆを設けているので、収納物を落とすことなく、安全に持ち運ぶことができ、携帯用として好適である。
【符号の説明】
【００３８】
１  袋本体
１ａ  上方開口部
１ｂ  折返し部
１ｅ，１ｅ  左右側縁部
２  下区画シート部
２ｂ  下端縁部
３  上区画シート部
３ｂ  下端縁部
６  スライダー
10  袋内部
11  前シート部
12  後シート部
51  第１ポケット部
52  第２ポケット部
53  第３ポケット部
Ｆ  ファスナ部
Ｓａ  シート体
Ｓｂ  区画シート片
【図１】
2020029300.tif 000003
【図２】
2020029300.tif 000004
【図３】
2020029300.tif 000005
【図４】
2020029300.tif 000006
【図５】
2020029300.tif 000007
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
一枚の樹脂製のシート体（Ｓａ）を折返して形成され、前シート部（11）と後シート部（12）を有すると共に、左右側縁部（１ｅ）（１ｅ）を溶着した上方開口状の袋本体（１）を備え、
上記袋本体（１）の上方開口部（１ａ）には、スライダー（６）にて開閉自在なファスナ部（Ｆ）を設け、
上記袋本体（１）の袋内部（10）を前後に区画状として樹脂製の区画シート片（Ｓｂ）
を配設すると共に、上記区画シート片（Ｓｂ）は、上記袋内部（10）の上下中間位置にて
、下区画シート部（２）と上区画シート部（３）とに分断され、下区画シート部（２）の
下端縁部（２ｂ）が上記袋本体（１）の下端の折返し部（１ｂ）近傍に溶着され、かつ、
上記上区画シート部（３）の下端縁部（３ｂ）が上記後シート部（12）に溶着されており、
上記袋本体（１）と上記下区画シート部（２）によって、上記袋内部（10）に、第１ポ
ケット部（51）と第２ポケット部（52）を区画形成し、かつ、上記上区画シート部（３）
と上記後シート部（12）によって、上記袋内部（10）に、第３ポケット部（53）を形成し、
前シート部（11）の内面側に第１ポケット部（51）が形成され、後シート部（12）の内
面側に第２ポケット部（52）が形成され、第２ポケット部（52）の上方位置に第２ポケッ
ト部（52）より小さな第３ポケット部（53）が形成され、
袋内部（10）の内底端縁（10ｄ）から、下区画シート部（２）の上端（２ｃ）までの上下位置寸法（ｈ）が、袋内部（10）の内底端縁（10ｄ）から、上記ファスナ部（Ｆ）までの袋内有効収容上下寸法（Ｈ）の、５５％以上７５％以下に設定されたことを特徴とする簡易収納袋。
【手続補正２】
【補正対象書類名】明細書
【補正対象項目名】０００６
【補正方法】変更
【補正の内容】
【０００６】
本発明の簡易収納袋は、一枚の樹脂製のシート体を折返して形成され、前シート部と後シート部を有すると共に、左右側縁部を溶着した上方開口状の袋本体を備え、上記袋本体の上方開口部には、スライダーにて開閉自在なファスナ部を設け、上記袋本体の袋内部を前後に区画状として樹脂製の区画シート片を配設すると共に、上記区画シート片は、上記袋内部の上下中間位置にて、下区画シート部と上区画シート部とに分断され、下区画シート部の下端縁部が上記袋本体の下端の折返し部近傍に溶着され、かつ、上記上区画シート部の下端縁部が上記後シート部に溶着されており、上記袋本体と上記下区画シート部によって、上記袋内部に、第１ポケット部と第２ポケット部を区画形成し、かつ、上記上区画シート部と上記後シート部によって、上記袋内部に、第３ポケット部を形成し、前シート部の内面側に第１ポケット部が形成され、後シート部の内面側に第２ポケット部が形成され、第２ポケット部の上方位置に第２ポケット部より小さな第３ポケット部が形成され、袋内部の内底端縁から、下区画シート部の上端までの上下位置寸法が、袋内部の内底端縁から、上記ファスナ部までの袋内有効収容上下寸法の、５５％以上７５％以下に設定されたものである。